【事件の表示】
　特願２０１７−　７５７４５「移動通信システム、プロセッサ及びユーザ端末」拒絶査定不服審判事件〔平成２９年　８月１７日出願公開、特開２０１７−１４３５６５〕について、次のとおり審決する。
【結　論】
　本件審判の請求は、成り立たない。
【理　由】
第１　手続の経緯
　本願は、平成２５年７月２９日に出願された特願２０１３−１５６４３３号の一部を、平成２９年４月６日に新たな特許出願としたものであって、その手続の経緯は、概略、以下のとおりである。
平成２９年４月２７日　　：手続補正書の提出
平成２９年５月８日付け　：拒絶理由通知書
平成２９年７月１３日　　：意見書、手続補正書の提出
平成２９年８月３日付け　：拒絶査定
平成２９年１１月８日　　：拒絶査定不服審判の請求
平成３０年９月１８日付け：拒絶理由通知書（当審）
平成３０年１１月２６日　：意見書、手続補正書の提出
第２　本願発明
　本願の請求項に係る発明は、平成３０年１１月２６日に提出された手続補正書により補正された特許請求の範囲の請求項１〜３に記載された事項により特定されるものであるところ、請求項２に係る発明は、以下のとおりのものである。
「　ユーザ端末であって、
　第１の基地局が管理する第１のセルから第２の基地局が管理する第２のセルへのハンドオーバ手続において、前記第２のセルとの接続が完了したことを示す通知を送信する際に、ランダムアクセスプリアンブル信号の送信を省略するか否かを判定するよう構成される制御部を備え、
　前記制御部は、
　　前記第１のセルから前記第２のセルへハンドオーバを行う場合に、前記第１の基地局を介して前記第２の基地局から、リソース情報とタイミングアドバンス情報とのセットを受信し、
　　前記第２のセルとの接続を実行し、
　　前記通知を前記第２の基地局へ送信する、よう構成され、
　前記リソース情報は、前記ユーザ端末が前記通知を前記第２の基地局へ送信するために用いられる無線リソースを示し、前記タイミングアドバンス情報は、前記通知の送信タイミングを調整するための情報であり、
　前記制御部は、
　　前記タイミング情報に少なくとも基づいて、前記ランダムアクセスプリアンブル信号の送信を省略すると判定するとともに、前記通知の送信タイミングを調整し、
　　前記判定に応じて、前記無線リソース情報が示す無線リソースを用いて前記通知を前記第２の基地局へ送信するよう構成されるユーザ端末。」
　ここで、請求項２には「前記制御部は、
　　
前記タイミング情報
　したがって、本願の請求項２に係る発明（以下、「本願発明」という。）は、以下のとおりのものであると認める。
「　ユーザ端末であって、
　第１の基地局が管理する第１のセルから第２の基地局が管理する第２のセルへのハンドオーバ手続において、前記第２のセルとの接続が完了したことを示す通知を送信する際に、ランダムアクセスプリアンブル信号の送信を省略するか否かを判定するよう構成される制御部を備え、
　前記制御部は、
　　前記第１のセルから前記第２のセルへハンドオーバを行う場合に、前記第１の基地局を介して前記第２の基地局から、リソース情報とタイミングアドバンス情報とのセットを受信し、
　　前記第２のセルとの接続を実行し、
　　前記通知を前記第２の基地局へ送信する、よう構成され、
　前記リソース情報は、前記ユーザ端末が前記通知を前記第２の基地局へ送信するために用いられる無線リソースを示し、前記タイミングアドバンス情報は、前記通知の送信タイミングを調整するための情報であり、
　前記制御部は、
　　前記タイミングアドバンス情報に少なくとも基づいて、前記ランダムアクセスプリアンブル信号の送信を省略すると判定するとともに、前記通知の送信タイミングを調整し、
　　前記判定に応じて、前記無線リソース情報が示す無線リソースを用いて前記通知を前記第２の基地局へ送信するよう構成されるユーザ端末。」
第３　拒絶の理由
　平成３０年９月１８日付けで当審が通知した拒絶理由（以下、「当審拒絶理由」という。）の概要は、「 ４．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」であり、請求項２に対して以下の２、１が引用されている。
１.特開２０１１−４０８２２号公報
２.国際公開第２０１０／１５０４６３号
第４　引用例の記載、引用発明、及び公知事項
　１　引用例２の記載
　当審拒絶理由で引用された国際公開第２０１０／１５０４６３号（以下「引用例２」という。）には、以下の事項が記載されている。（下線は、当審で付した。）
（１）　「[0001]（省略）
背景技術
（省略）
[0009]　移動体通信においては、通信中（音声通話中やデータ通信中など）に移動局が移動した場合、移動局が通信する基地局を変更するハンドオーバー処理が行われる。ＬＴＥにおけるハンドオーバー処理について図１４、図１５を参照して説明する（非特許文献２）。
（省略）
[0012]　図１５は、
ＬＴＥにおいて、
　まず、基地局１００Ａは、移動局２００に対して、基地局１００Ａを含む周辺の基地局から送信される信号の受信品質や受信タイミングなどを測定するよう指示する（ステップＳ３００１）。
　移動局２００は、ステップＳ３００１の指示に基づいて、周辺の基地局から送信される信号の受信品質や、受信タイミングなどを測定する（ステップＳ３００２）。受信品質の測定には、参照信号（ＲＳ）の受信レベルや、パスロスや、Ｓ／Ｎなどが用いられる。
[0013]　移動局２００は、ステップＳ３００２で測定した受信品質や受信タイミングを含む測定結果を、基地局１００Ａに送信する（ステップＳ３００３）。
　基地局１００Ａは、ステップＳ３００３の測定結果報告に基づいて、ハンドオーバー処理を行うか否かについて決定する（ステップＳ３００４）。例えば、基地局１００Ａは、基地局１００Ａが移動局２００に送信する信号の受信品質よりも、隣接する基地局１００Ｂが移動局２００に送信する信号の受信品質が良くなった場合に、ハンドオーバー処理を行うことを決定する。
[0014]　ステップＳ３００４でハンドオーバー処理を行うと決定した場合、基地局１００Ａは、基地局１００Ｂに対して、ハンドオーバー要求を送信する（ステップＳ３００５）。
　基地局１００Ｂは、ハンドオーバーの準備を行い、準備が完了すると、基地局１００Ａに対して、ハンドオーバーの準備完了を通知するハンドオーバー応答を送信する（ステップＳ３００６）。
　基地局１００Ｂからハンドオーバー応答を受信した
基地局１００Ａは、移動局２００に対して、ハンドオーバー指示を送信する
　移動局２００は、基地局１００Ａとの通信を開放する（ステップＳ３００８）。
そして、移動局２００は、
ＰＲＡＣＨを、基地局１００Ｂに送信する
[0015]　基地局１００Ｂは、移動局２００との間で、ランダムアクセス処理を行う。ランダムアクセス処理では、基地局１００Ｂは、移動局２００に対して指示する送信タイミング変更量を算出する。具体的には、基地局１００Ｂは、ステップＳ３００９のランダムアクセス要求を受信し、移動局２００から送信される信号の基地局１００Ｂでの受信タイミングと、基地局１００Ｂが期待する受信タイミングとの差を算出し、そのタイミング差から送信タイミング変更量を算出する（ステップＳ３０１０）。
　
基地局１００Ｂは、算出した送信タイミング変更量を含むランダムアクセス応答を、移動局２００に送信する
　そして、
移動局２００は、
ランダムアクセス応答に含まれる送信タイミング変更量とを元に、基地局１００Ｂへの送信タイミングを算出する。
　そして、
移動局２００は、基地局１００Ｂに対して、ハンドオーバー完了通知を送信する
[0016]　次に、図１６のように、複数の基地局が、１つの移動局に対して同時にデータを送信する
下りＣｏＭＰの場合について説明する。
　図１６の状態１は、ＣｏＭＰにおいて、基地局１０１Ａ、１０１Ｂと、ハンドオーバー前の移動局２０１との間で送受信される信号を示している。
　図１６の状態１では、基地局１０１Ａは、ＰＤＳＣＨ、ＰＣＦＩＣＨ、ＰＤＣＣＨ、ＰＨＩＣＨ、ＲＳの各信号やチャネルを、下り回線を用いて、移動局２０１に送信する。
　また、図１６の状態１では、移動局２０１は、ＰＵＳＣＨ、ＰＵＣＣＨ、ＲＳの各信号やチャネルを、上り回線を用いて、基地局１０１Ａに送信する。
　また、図１６の状態１では、基地局１０１Ｂは、ＰＤＳＣＨ、ＲＳの各信号やチャネルを、下り回線を用いて、移動局２００に送信する。なお、基地局１０１Ｂは、ＰＣＦＩＣＨ、ＰＤＣＣＨを、必要に応じて、移動局２０１に送信する。
[0017]　図１６の状態２は、ＣｏＭＰにおいて、基地局１０１Ａ、１０１Ｂと、ハンドオーバー後の移動局２０１との間で送受信される信号を示している。
　図１６の状態２では、基地局１０１Ａは、ＰＤＳＣＨ、ＲＳの各信号やチャネルを、下り回線を用いて、移動局２０１に送信する。また、基地局１０１Ａは、ＰＣＦＩＣＨ、ＰＤＣＣＨを、必要に応じて、移動局２０１に送信する。
　また、図１６の状態２では、基地局１０１Ｂは、ＰＤＳＣＨ、ＰＣＦＩＣＨ、ＰＤＣＣＨ、ＰＨＩＣＨ、ＲＳの各信号やチャネルを、下り回線を用いて、移動局２０１に送信する。
　また、図１６の状態２では、移動局２０１は、ＰＵＳＣＨ、ＰＵＣＣＨ、ＲＳの各信号やチャネルを、上り回線を用いて、基地局１０１Ｂに送信する。
[0018]　図１６の状態１では、上りリンクのデータは、基地局１０１Ａが移動局２０１から受信する。移動局２０１が移動することにより、例えば、基地局１０１Ａへの上りリンクの品質より、基地局１０１Ｂへの上りリンクの品質の方が良いと判定された場合、ハンドオーバー処理を行う。ハンドオーバー処理では、移動局２０１から送信される上りリンクのデータを受信する基地局であって、下りリンクの制御チャネル（ＰＣＦＩＣＨ、ＰＤＣＣＨ、ＰＨＩＣＨ）を移動局２０１に送信する基地局を、基地局１０１Ａから基地局１０１Ｂに変更する。
　一方、下りリンクのデータは、ハンドオーバー処理の前後で変更はない。つまり、
移動局２０１は、基地局１０１Ａと基地局１０１Ｂの両方から、下りリンクのデータを受信する。この状態で、ＬＴＥでのハンドオーバー処理を行うと、ランダムアクセス処理を行うために、移動局２０１は、一旦通信を開放する必要がある。その際に、移動局２０１は、変更の必要がない下りリンクのデータについても通信を中断しなければならない。
（省略）
発明が解決しようとする課題
[0020]　本発明は、このような
事情
移動局が基地局に対して、ランダムアクセスを行う必要がなく、迅速にハンドオーバーを行うことができる
移動局、
を提供することを目的とする。
（２）　「[0035]　図２は、本発明の第１の実施形態による移動局４００の構成を示す概略ブロック図である。
移動局４００は、
制御部４０５を備えている。
[0036]　
アンテナ４０１は、基地局３００Ａ、３００Ｂが送信する信号を受信し、無線部４０２に出力する。
　
無線部４０２は、アンテナ４０１が出力する信号に対して、ダウンコンバートを行い、信号処理部４０３に出力する。
　
信号処理部４０３は、無線部４０２が出力する信号に対して復調の処理を行い、制御部４０５、
に出力する。
（３）　「[0044]　また、上りリンクについては、ＤＦＴ（Ｄｉｓｃｒｅｔｅ　Ｆｏｕｒｉｅｒ　Ｔｒａｎｓｆｏｒｍ）−Ｐｒｅｃｏｄｅｄ　ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）の採用が検討されている。そのため、基地局側は、複数の移動局からの信号を同時に受信する必要があり、それらの信号がＣＰ長以内に収まっている必要がある。
　従って、
基地局が主導で各移動局に送信タイミング変更量を指示することにより、基地局での受信のタイミングを調整する。
[0045]　この場合、ハンドオーバー前においては、移動局４００の信号の送信タイミングは、基地局３００Ａから指示されて決定される。その送信タイミングは、基地局３００Ａでの受信のタイミングに対して、基地局３００Ａと移動局４００の間の上り伝播遅延時間ＴＡ＿Ｕだけ時間的に前になるように、設定される。
　また、
ハンドオーバー後においては、移動局４００の信号の送信タイミングは、基地局３００Ｂから指示されて決定される。その送信タイミングは、基地局３００Ｂでの受信のタイミングに対して、基地局３００Ｂと移動局４００の間の上り伝播遅延時間Ｔ
Ｂ＿Ｕ
だけ時間的に前になるように設定される。
[0046]　図４は、本発明の第１の実施形態による通信システムのハンドオーバーの処理を示すシーケンス図である。
　始めに、基地局３００Ａの制御部３０５は、移動局４００に対して、信号処理部３０３、無線部３０２、アンテナ３０１を介して、測定指示を送信する（ステップＳ６００１）。この測定指示は、基地局３００Ａを含む周辺の基地局（基地局３００Ｂなど）から送信される信号の受信品質や受信タイミングなどを測定することを、移動局４００に指示するものである。
　移動局４００の制御部４０５は、ステップＳ６００１で基地局３００Ａが送信した測定指示を、受信する。そして、移動局４００の品質・タイミング測定部４０４は、周辺の基地局３００Ａ、３００Ｂから送信される信号（ＲＳ）の受信品質や受信タイミングを測定する（ステップＳ６００２）。受信品質の測定には、参照信号（ＲＳ）の受信レベルや、パスロスや、Ｓ／Ｎなどが用いられる。
[0047]　移動局４００の制御部４０５は、ステップＳ６００２で測定した受信品質や受信タイミングを含む測定結果を、信号処理部４０３、無線部４０２、アンテナ４０１を介して、基地局３００Ａに送信する（ステップＳ６００３）。例えば、移動局４００は、図３の信号５に示すように、基地局３００Ａと基地局３００Ｂとから送信される信号のタイミング差（時間ＴＤ）を、基地局３００Ａに送信する。なお、基地局３００Ａと基地局３００Ｂとから送信される信号のタイミング情報（移動局４００内のカウンタの値など）を基地局３００Ａに送信することにより、基地局３００Ａにおいて、信号のタイミング差（時間ＴＤ）を算出するようにしてもよい。
　基地局３００Ａの制御部３０５は、ステップＳ６００３の測定結果報告に基づいて、ハンドオーバー処理を行うか否かについて決定する（ステップＳ６００４）。例えば、基地局３００Ａの制御部３０５は、基地局３００Ａが送信する信号の移動局４００での受信品質よりも、隣接する基地局３００Ｂが送信する信号の移動局４００での受信品質が良くなった場合に、ハンドオーバー処理を行うと決定する。
　ここで、ハンドオーバー処理を行うか否かについて決定する際には、移動局４００からの報告以外にも、通信の混雑状況など様々な要素を考慮に入れて決定しても良い。
[0048]　ステップＳ６００４でハンドオーバー処理を行うと決定した場合、基地局３００Ａの制御部３０５は、基地局３００Ｂに対して、信号処理部３０３、無線部３０２、アンテナ３０１を介して、ステップＳ６００３で移動局４００から受信したタイミング情報を含むハンドオーバー要求を送信する（ステップＳ６００５）。
　ＣｏＭＰを行っている場合には、様々な情報（スケジューリング情報やＣＱＩなど）を、基地局３００Ａと基地局３００Ｂとの間で定期的に情報交換する。従って、タイミング情報を、ステップＳ６００５でハンドオーバー要求を行う時に通知するのではなく、前もって定期的に、基地局３００Ａから基地局３００Ｂに通知しても良い。
[0049]　基地局３００Ｂの送信タイミング変更量算出部３０４は、基地局３００Ａから受信したタイミング情報に基づいて、送信タイミング変更量を算出する（ステップＳ６００６）。送信タイミング変更量は、移動局４００が基地局３００Ａから基地局３００Ｂにハンドオーバーを行い、基地局３００Ｂに信号を送信する際に必要な情報である。本実施形態では、各基地局３００Ａ、３００Ｂの送受信タイミングが同期している。そのため、図３の信号５に示すように、ハンドオーバー後の送信タイミングは、ハンドオーバー前の送信タイミングに対して、時間ＴＵだけ時間的に前になるように変更する必要がある。時間ＴＵは、上りリンクの伝播遅延時間ＴＢ＿Ｕと伝播遅延時間ＴＡ＿Ｕとの差である。
（省略）
[0051]　ステップＳ６００５でハンドオーバー要求を受信した
基地局３００Ｂ
は、
ステップＳ６００６で算出したタイミング情報を含むハンドオーバー応答を、
基地局３００Ａに送信する
　
ステップＳ６００７でハンドオーバー応答を受信した基地局３００Ａ
は、送信タイミング変更量を含むハンドオーバー指示を、
移動局４００に送信する
　
移動局４００の制御部４０５は、
指示された送信タイミング変更量に基づいて送信タイミングを変更し、基地局３００Ｂとの物理チャネルを接続する
　そして、
移動局４００の制御部４０５は、ハンドオーバー完了通知を、
基地局３００Ｂに送信する
　２　引用発明
（１）　上記１（１）の段落００１２〜００１５には、ＬＴＥにおいて、基地局Ａからハンドオーバー指示を受信した移動局が、基地局ＢにＰＲＡＣＨを送信し、基地局Ｂから送信タイミング変更量を含むランダムアクセス応答を受信し、前記送信タイミング変更量を元に、基地局１００Ｂへ送信タイミングを算出し、ハンドオーバー完了通知を送信するとの背景技術が記載されている。
　また、上記１（１）の段落００１６〜００１８には、移動局２０１が、基地局１０１Ａと基地局１０１Ｂの両方から下りリンクのデータを受信する状態、すなわち、下りＣｏＭＰの状態で、ＬＴＥでのハンドオーバー処理を行うと、ランダムアクセス処理を行うために、移動局２０１は、一旦通信を開放する必要があり、その際に、移動局２０１は、変更の必要がない下りリンクのデータについても通信を中断しなければならないとの、前記背景技術における事情が記載されている。
　そして、上記１（１）の段落００２０の発明が解決しようとする課題についての記載を踏まえると、引用例２には、「下りＣｏＭＰ状態で、移動局が基地局に対して、ランダムアクセスを行う必要がなく、迅速にハンドオーバーを行うことができる移動局」の発明が記載されているといえる。
（２）　上記１（２）の段落００３５によると、引用例２には、移動局４００が制御部４０５を備えていることが記載されているといえる。
（３）　上記１（２）の段落００３６の記載によると、基地局３００Ａ、３００Ｂが送信する信号は、アンテナ４０１、無線部４０２、信号処理部４０３を介して制御部４０５に受信されるといえる。
　そして、上記１（３）の段落００５１のステップＳ６００７、Ｓ６００８の記載によると、引用例２には、制御部４０５が、基地局３００Ａを介して基地局３００Ｂから送信タイミング変更量を含むハンドオーバー指示を受信することが記載されているといえる。
　
（４）　上記１（３）段落００４４〜４５によると、引用例２には、送信タイミング変更量が、移動局４００の信号の送信タイミングを、基地局３００Ｂでの受信のタイミングに対して、基地局３００Ｂと移動局４００の間の上り伝播遅延時間ＴＢ＿Ｕだけ時間的に前になるように設定するためのものであることが記載されているといえる。
（５）　上記１（３）の段落００５１のステップＳ６００９、Ｓ６０１０の記載によると、引用例２には、制御部４０５は、「指示された送信タイミング変更量に基づいて送信タイミングを変更し、基地局３００Ｂとの物理チャネルを接続し、ハンドオーバー完了通知を、基地局３００Ｂに送信する」ことが記載されているといえる。
　以上を踏まえると、引用例２には、以下の発明（以下、「引用発明」という。）が記載されていると認める。
　「下りＣｏＭＰ状態で、移動局が基地局に対して、ランダムアクセスを行う必要がなく、迅速にハンドオーバーを行うことができる移動局であって、
　制御部を備え、
　前記制御部は、
　　基地局３００Ａを介して基地局３００Ｂから送信タイミング変更量を含むハンドオーバー指示を受信し、
　　前記送信タイミング変更量が、移動局の信号の送信タイミングを、基地局３００Ｂでの受信のタイミングに対して、基地局３００Ｂと移動局の間の上り伝播遅延時間ＴＢ＿Ｕだけ時間的に前になるように設定するためのものであり、
　　指示された送信タイミング変更量に基づいて送信タイミングを変更し、基地局３００Ｂとの物理チャネルを接続し、ハンドオーバー完了通知を基地局３００Ｂに送信する、
　移動局。」
　３　引用例１の記載
　当審拒絶理由で引用された特開２０１１−４０８２２号公報（以下「引用例１」という。）には、以下の事項が記載されている。（下線は、当審で付した。）
「【００１０】
　
ランダムアクセスチャネルの使用目的は、上りリンクにおいて移動局装置−基地局装置間を同期させること（移動局装置から基地局装置への上りリンクの送信タイミングを調整すること）を目的としている。
【００１１】
　移動局装置は、ランダムアクセスチャネルＲＡＣＨにアクセスする場合、ランダムプリアンブルのみ送信する。ランダムアクセスプリアンブルは、プリアンブル部とＣＰ（Ｃｙｃｌｉｃ  ｐｒｅｆｉｘ）部から構成される。プリアンブル部には、情報を表す信号パターンであるＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ  Ｚｏｎｅ  Ｃｏｄｅ）シーケンスを用い、６４種類のシーケンスを用意して６ビットの情報を表現するようにしている。
（中略）
【００１４】
　具体的にＣｏｎｔｅｎｔｉｏｎ  ｂａｓｅｄ  Ｒａｎｄｏｍ  Ａｃｃｅｓｓ手順を説明する。まず、移動局装置が、下りリンクのパスロスやメッセージ３のサイズに基づいて、シーケンスグループを選択する。次に、選択したシーケンスグループの中から１つのＣＡＺＡＣシーケンスをランダムに選択し、選択したＣＡＺＡＣシーケンスを元にランダムアクセスプリアンブルを生成する。そして、ランダムアクセスチャネルＲＡＣＨでランダムアクセスプリアンブルを送信する（メッセージ１（Ｍ１））。
【００１５】
　基地局装置は、移動局装置からのランダムアクセスプリアンブルを検出すると、
ランダムアクセスプリアンブルから移動局装置−基地局装置間の送信タイミングずれ量を算出する。そして、Ｌ２／Ｌ３（Ｌａｙｅｒ２／Ｌａｙｅｒ３）メッセージを送信するためスケジューリング（上りリンクの無線リソース位置、送信フォーマット（メッセージサイズ）等の指定）を行い、
送信タイミングずれ情報、スケジューリング情報、
含んだランダムアクセスレスポンスメッセージを送信する
【００１６】
　移動局装置は、下りリンク制御チャネルＰＤＣＣＨにＲＡ−ＲＮＴＩがあることを検出すると、下りリンク共用データチャネルＰＤＳＣＨに配置されたランダムアクセスレスポンスメッセージの中身を確認する、確認の結果、送信したランダムアクセスプリアンブルに対応するプリアンブル番号が含まれている場合、メッセージ情報を抽出し、送信タイミングずれを補正し、スケジューリングされた無線リソースと送信フォーマットでＣ−ＲＮＴＩ（またはＴｅｍｐｏｒａｒｙ  Ｃ−ＲＮＴＩ）または、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）等の移動局装置を識別する情報を含むＬ２／Ｌ３メッセージを送信する（メッセージ３（Ｍ３））。なお、移動局装置は、基地局装置からのランダムアクセスレスポンスメッセージを一定期間待ち続け、送信したランダムアクセスプリアンブルのプリアンブル番号を含んだランダムアクセスレスポンスメッセージを受信しない場合は、再度、ランダムアクセスプリアンブルを送信する。
（中略）
【００２０】
　移動局装置は、ハンドオーバーコマンドメッセージを受信するとハンドオーバーを実行するために、まず、基地局装置２の下りリンクに同期するための同期処理を行い、その後、ハンドオーバーコマンドメッセージに含まれているランダムアクセスに関する情報をもとに基地局装置２に対してランダムアクセスを行う。この時、ハンドオーバーコマンドにランダムアクセスプリアンブル番号と使用するランダムアクセスチャネル番号が含まれている場合は、非競合ランダムアクセス（Ｎｏｎ−ｃｏｎｔｅｎｔｉｏｎ  ｂａｓｅｄ  Ｒａｎｄｏｍ  Ａｃｃｅｓｓ）手順を行い、含まれていない場合は、競合ランダムアクセス（Ｃｏｎｔｅｎｔｉｏｎ  ｂａｓｅｄ  Ｒａｎｄｏｍ  Ａｃｃｅｓｓ）手順を実行する。
【００２１】
　
移動局装置は、ランダムアクセスプリアンブルを送信後、ランダムアクセスレスポンスを受信し、ランダムアクセスレスポンスに含まれている上りリンクの無線リソース割り当て情報をもとにハンドオーバー完了メッセージを基地局装置２に送信し、
　４　公知事項
　上記３によると、「送信タイミングずれ情報、及びスケジューリング情報（上りリンクの無線リソース位置、送信フォーマット（メッセージサイズ）等の指定）を含むランダムアクセスレスポンスメッセージを受信し、ランダムアクセスレスポンスに含まれている上りリンクの無線リソース割り当て情報を元にハンドオーバー完了メッセージを送信する移動局装置。」は公知事項と認める。
第５　対比
　本願発明と引用発明とを対比すると、以下のとおりとなる。
　１　引用発明の「移動局」は、本願発明の「ユーザ端末」に対応する。
　２　引用発明のハンドオーバー元の「基地局３００Ａ」、及びハンドオーバー先の「基地局３００Ｂ」は、本願発明のハンドオーバ手続きにおけるハンドオーバー元の基地局である「第１の基地局」、及びハンドオーバー先の基地局である「第２の基地局」にそれぞれ相当する。
　また、ハンドオーバーは、ハンドオーバー元の基地局が管理するセルから、ハンドオーバー先の基地局が管理するセルへユーザ端末に対応する移動局の接続を切り替える処理であるから、引用発明の「ハンドオーバー完了通知」は、本願発明の「第１の基地局が管理する第１のセルから第２の基地局が管理する第２のセルへのハンドオーバ手続において、前記第２のセルとの接続が完了したことを示す通知」に相当する。
　してみると、引用発明の「ハンドオーバー完了通知を基地局３００Ｂに送信する」制御部と、本願発明の「前記通知を前記第２の基地局へ送信するよう構成される」制御部とは、「第１の基地局が管理する第１のセルから第２の基地局が管理する第２のセルへのハンドオーバ手続において、前記第２のセルとの接続が完了したことを示す通知を送信する際に、ランダムアクセスプリアンブル信号の送信を省略するか否かを判定するよう構成される」と特定されていないものの、いずれも「第１の基地局が管理する第１のセルから第２の基地局が管理する第２のセルへのハンドオーバ手続において、前記第２のセルとの接続が完了したことを示す通知を送信する」よう構成される制御部といえる点で共通する。
　３　「指示された送信タイミング変更量に基づいて送信タイミングを変更し、基地局３００Ｂとの物理チャネルを接続し、ハンドオーバー完了通知を基地局３００Ｂに送信する」引用発明の、移動局の信号の送信タイミングを、基地局３００Ｂでの受信のタイミングに対して、基地局３００Ｂと移動局の間の上り伝播遅延時間ＴＢ＿Ｕだけ時間的に前になるように設定するためのものである「送信タイミング変更量」は、本願発明の、「前記通知の送信タイミングを調整するための情報」である「タイミングアドバンス情報」に相当する。
　また、制御部が「基地局３００Ａを介して基地局３００Ｂから送信タイミング変更量を含むハンドオーバー指示を受信」する引用発明は、リソース情報をタイミングアドバンス情報とセットとして受信する点が特定されていないものの、「前記第１のセルから前記第２のセルへハンドオーバを行う場合に、前記第１の基地局を介して前記第２の基地局から、タイミングアドバンス情報を受信」するよう構成された制御部を備えるといえる点で本願発明と共通する。
　４　「基地局３００Ｂとの物理チャネルを接続し、ハンドオーバー完了通知を基地局３００Ｂに送信する」制御部を備える引用発明は、「前記第２のセルとの接続を実行し、前記通知を前記第２の基地局へ送信する、よう構成され」た制御部を備えるといえる点で本願発明と共通する。
　５　「指示された送信タイミング変更量に基づいて送信タイミングを変更し、基地局３００Ｂとの物理チャネルを接続し、ハンドオーバー完了通知を基地局３００Ｂに送信する」引用発明の「送信タイミング変更量」は、ハンドオーバー完了通知の送信タイミングを調整するための情報であるから、引用発明は、「前記ランダムアクセスプリアンブル信号の送信を省略すると判定する」こと、及び「前記判定に応じて、前記無線リソース情報が示す無線リソースを用いて」前記通知を前記第２の基地局へ送信することが特定されていないものの、「前記タイミングアドバンス情報に少なくとも基づいて、前記通知の送信タイミングを調整し」「前記通知を前記第２の基地局へ送信するよう構成される」制御部を備える点で本願発明と共通する。
　以上を踏まえると、本願発明と引用発明とは以下の点で一致し、相違する。
「　ユーザ端末であって、
　第１の基地局が管理する第１のセルから第２の基地局が管理する第２のセルへのハンドオーバ手続において、前記第２のセルとの接続が完了したことを示す通知を送信するよう構成される制御部を備え、
　前記制御部は、
　　前記第１のセルから前記第２のセルへハンドオーバを行う場合に、前記第１の基地局を介して前記第２の基地局から、タイミングアドバンス情報を受信し、
　　前記第２のセルとの接続を実行し、
　　前記通知を前記第２の基地局へ送信する、よう構成され、
　　前記タイミングアドバンス情報は、前記通知の送信タイミングを調整するための情報であり、
　前記制御部は、
　　前記タイミングアドバンス情報に少なくとも基づいて、前記通知の送信タイミングを調整し、
　　前記通知を前記第２の基地局へ送信するよう構成されるユーザ端末。」
相違点
（相違点１）　一致点である制御部が、本願発明では「第１の基地局が管理する第１のセルから第２の基地局が管理する第２のセルへのハンドオーバ手続において、前記第２のセルとの接続が完了したことを示す通知を送信する際に、ランダムアクセスプリアンブル信号の送信を省略するか否かを判定するよう構成され」、「前記タイミングアドバンス情報に少なくとも基づいて、前記ランダムアクセスプリアンブル信号の送信を省略すると判定」し、「前記判定に応じて、」前記通知を前記第２の基地局へ送信するよう構成されるのに対し、
　引用発明では、下りＣｏＭＰ状態でハンドオーバーを行う際にランダムアクセスを行わなわず、ランダムアクセスプリアンブル信号の送信を省略するものの、タイミングアドバンス情報に相当する送信タイミング変更量に基づいて、ランダムアクセスプリアンブルの送信を省略するか否かの判定し、前記判定に応じてハンドオーバー完了通知を第２基地局に相当する基地局３００Ｂへ送信するように制御部が構成されることが特定されていない点。
（相違点２）　一致点である、制御部が「前記第１のセルから前記第２のセルへハンドオーバを行う場合に、前記第１の基地局を介して前記第２の基地局から」受信するものが、本願発明では、「前記ユーザ端末が前記通知を前記第２の基地局へ送信するために用いられる無線リソースを示」す「リソース情報」とタイミングアドバンス情報との「セット」であり、制御部が「前記無線リソース情報が示す無線リソースを用いて」前記通知を前記第２の基地局へ送信するよう構成されるのに対し、引用発明では、リソース情報を受信すること、及び、どの無線リソースを用いてハンドオーバ完了通知を送信するように構成されるのか特定されていない点。
第６　判断
　１　相違点１について
　「下りＣｏＭＰ状態で、移動局が基地局に対して、ランダムアクセスを行う必要がなく、迅速にハンドオーバーを行うことができる移動局」である引用発明が、
下りＣｏＭＰ状態では、送信タイミング変更量を含むハンドオーバー指示を受信し、
「下りＣｏＭＰ」以外の状態では、
送信タイミング変更量を含まないハンドオーバー指示を受信し、
　してみると、移動局が受信するハンドオーバー指示に送信タイミング変更量が含まれている場合には、送信タイミング変更量を得るためのランダムアクセスプリアンブルの送信を省略することでき、送信タイミング変更量が含まれていない場合には、送信タイミング変更量を得るためにランダムアクセスプリアンブルを送信する必要があるとの関連性から、引用発明のハンドオーバー指示に、タイミングアドバンス情報に相当する送信タイミング変更量が含まれているか、否かに基づいて、ランダムアクセスプリアンブルの送信を省略すると判定し、判定に基づいてハンドオーバ完了通知を基地局３００Ｂに送信することは、当業者が容易に想到し得る事項といえる、
　そして、当該事項は、送信タイミング変更量に相当する「前記タイミングアドバンス情報に少なくとも基づいて、前記ランダムアクセスプリアンブル信号の送信を省略すると判定する」との事項に含まれる。
　したがって、引用発明の制御部を「第１の基地局が管理する第１のセルから第２の基地局が管理する第２のセルへのハンドオーバ手続において、前記第２のセルとの接続が完了したことを示す通知を送信する際に、ランダムアクセスプリアンブル信号の送信を省略するか否かを判定するよう構成」し、「前記タイミングアドバンス情報に少なくとも基づいて、前記ランダムアクセスプリアンブル信号の送信を省略すると判定」し、「前記判定に応じて、」前記通知を前記第２の基地局へ送信するよう構成することは、当業者が容易に想到し得る事項といえる。
　２　相違点２について
　上記第４　４によると、送信タイミング変更量といえる送信タイミングずれ情報、及び、リソース情報といえるスケジューリング情報（上りリンクの無線リソース位置、送信フォーマット（メッセージサイズ）等の指定）をセットとして含むランダムアクセスレスポンスメッセージを受信し、ランダムアクセスレスポンスに含まれている上りリンクの無線リソース割り当て情報を元にハンドオーバー完了通知といえるハンドオーバー完了メッセージを送信する移動局装置は公知事項である。
　そして、下りＣｏＭＰ状態で、ランダムアクセスすなわちランダムアクセスプリアンブルの送信を行わない引用発明において、ハンドオーバー完了通知を送信するためのリソース情報が必要なことは明らかであるから、引用発明が受信する、送信タイミング変更量を含むハンドオーバー指示に、上記公知事項のランダムアクセスレスポンスメッセージと同様に、送信タイミング変更量とともに、ハンドオーバー完了通知を送信するための無線リソースを示すリソース情報を、セットとして含め、当該リソース情報を用いてハンドオーバー完了通知を送信すること、すなわち、引用発明の制御部が「前記第１のセルから前記第２のセルへハンドオーバを行う場合に、前記第１の基地局を介して前記第２の基地局から」受信するものを、「前記ユーザ端末が前記通知を前記第２の基地局へ送信するために用いられる無線リソースを示」す「リソース情報」とタイミングアドバンス情報との「セット」とし、制御部を「前記無線リソース情報が示す無線リソースを用いて」前記通知を前記第２の基地局へ送信するよう構成することは、当業者が容易に想到し得る事項といえる。
　したがって、本願発明は、引用発明、及び公知事項に基づいて当業者が容易に発明をすることができたものといえる。
第７　むすび
　以上のとおり、本願発明は、特許法第２９条第２項の規定により特許を受けることができないから、他の請求項について検討するまでもなく、本願は拒絶されるべきものである。
　よって、結論のとおり審決する。